(57)【特許請求の範囲】
【請求項１】
液晶パネルの実質的な画像を具現する画像具現期間以前の、光を発生しているスキャニング期間に前記液晶パネルのあらかじめ設定された基準輝度によってランプに供給される交流信号のデューティ比および振幅のうちのいずれか一つを設定する段階と、
前記画像具現期間に、前記スキャニング期間に設定されたデューティ比および振幅によって前記交流信号の振幅およびデューティ比のうちいずれか一つを可変させる段階と、
前記液晶パネルに具現される各画像の輝度の強弱によって輝度可変信号を生成する段階と、
前記輝度可変信号によって制御信号を生成する段階であって、前記制御信号のデューティ比及び振幅の少なくとも一つが可変される段階を含む段階と、
前記制御信号に対応する交流信号を生成する段階と、
前記ランプに供給される、前記制御信号に対応する交流信号によって光を発生して前記液晶パネルに照射する段階を含み、
前記制御信号に対応する交流信号を生成する段階は、前記制御信号のデューティ比が可変されるときに前記交流信号のオン周期を変化させる段階と、前記制御信号の振幅が可変されるときに前記交流信号の振幅を変化させる段階を含み、
前記ランプからの光を前記液晶パネルに照射する段階は、変化されたオン周期を有する前記交流信号と変化された振幅を有する前記交流信号のうち少なくとも対応する可変された管電流と可変された交流信号を前記ランプに供給して特定の輝度を有する光を発生する段階と、前記画像具現期間に前記ビデオデータの輝度による光を発生するランプが前記液晶パネルに順次に光を照射する段階と、前記制御信号に対応する交流信号を生成する段階を含むことを特徴とする液晶表示装置のランプ駆動方法。
【請求項２】
前記基準輝度によってランプに供給される交流信号のデューティ比および振幅のうち少なくともいずれか一つは前記液晶パネルに注入される液晶の特性によって決定されることを特徴とする請求項１記載の液晶表示装置のランプ駆動方法。
【請求項３】
前記液晶パネルに具現される各画像の輝度の強弱によって輝度可変信号を生成する段階は、外部から入力されるビデオデータの輝度に対応する前記輝度可変信号を生成する段階を含むことを特徴とする請求項１記載の液晶表示装置のランプ駆動方法。
【請求項４】
前記液晶パネルは多数のランプを備え、
各ランプのスキャニング期間に決定されたデューティ比と振幅によって前記ランプの夫々に供給される前記交流信号の振幅とデューティ比のうちの少なくともいずれか一つを可変させる段階を追加に含むことを特徴とする請求項１記載の液晶表示装置のランプ駆動方法。
【請求項５】
画像が液晶表示素子により具現される画像具現期間を決定する段階と、
前記画像具現期間前に前記画像具現期間より短い、光を発生しているスキャニング期間を決定する段階と、
前記ランプに供給される電力量を決定して基準輝度を決定する段階と、
前記ランプに供給される交流信号の振幅とデューティ比のうちのいずれか一つを調整して前記スキャニング期間に前記基準輝度を具現する段階と、
前記画像具現期間に前記画像の輝度の強弱によって輝度可変信号を生成する段階と、
前記輝度可変信号によって制御信号を生成する段階であって、前記制御信号のデューティ比及び振幅の少なくとも一つが可変される段階を含む段階と、
前記制御信号に対応する交流信号を生成する段階と、
前記ランプに、前記制御信号に対応する交流信号を供給して光を発生する段階を含み、
前記制御信号に対応する交流信号を生成する段階は、前記制御信号のデューティ比が変わるときに前記交流信号のオンタイム期間を可変させる段階と、前記制御信号の振幅が変わるときに前記交流信号の振幅を可変させる段階のうち少なくともいずれか一つを含むことを特徴とする液晶表示装置のランプ駆動方法。
【請求項６】
前記基準輝度は前記液晶表示素子の液晶物質特性によって実験的に決定されることを特徴とする請求項５記載の液晶表示装置のランプ駆動方法。
【請求項７】
前記液晶表示素子の液晶の応答遅延時間以上に前記スキャニング期間を設定する段階を更に含むことを特徴とする請求項５記載の液晶表示装置のランプ駆動方法。
【請求項８】
観察者が前記液晶表示素子の輝度変化を認知し得ない時間以内に前記スキャニング期間を決定する段階を更に含むことを特徴とする請求項５記載の液晶表示装置のランプ駆動方法。
【発明の詳細な説明】
【技術分野】
【０００１】
本発明は液晶表示装置に関し、特に液晶表示装置の画質を改善し輝度を安定的に表現し得るようにした液晶表示装置の駆動装置および駆動方法に関する。
【背景技術】
【０００２】
一般的に、液晶表示装置(Liquid  Crystal  Display：以下“LCD”という)は、定量・薄形・低消費電力駆動などの特徴に因りその応用範囲が次第に広くなっている趨勢にある。このような趨勢によりLCDは事務自動化機器、オーディオ／ビデオ機器などに利用されている。一方、LCDはマトリックス形態に配列された多数の制御用スイッチに印加される映像信号によって光ビームの透過量が調節されて画面に所望の画像を表示するようになる。
【０００３】
このようなLCDは自発光表示装置でないためバックライト(Back  Light)のような光源が必要になる。このようなLCD用バックライトには直下型方式とエッジ型方式の二種類がある。直下型は平面にランプを多数個配置する。そして、ランプと液晶パネルとの間に拡散板を設置して液晶パネルとランプとの間を一定に維持する。エッジ型方式は平板の外郭にランプを設置したもので、ランプから発生する光が透明な導光板を利用して液晶パネルの全体面に入射される。
【０００４】
図１および図２は従来の直下型バックライトを採用したLCDを示す図面である。
図１および図２を参照すると、従来の直下型バックライトを採用したLCDは画像を表示するための液晶パネル２と、該液晶パネル２に均一な光を照射するための直下型バックライトアッセンブリを備えている。
【０００５】
液晶パネル２は上部および下部基板の間に液晶セルがアクチブマトリックス(Active  Matrix)形態に配列され、この液晶セルの夫々に電界を印加するための画素電極と共通電極が設けられている。このような画素電極の夫々はスイッチ素子として用いられる薄膜トランジスター(Thin  Film  Transistor)に接続されている。画素電極は薄膜トランジスターを通じて供給されるデータ信号によって共通電極と共に液晶セルを駆動してビデオ信号に相当する画像を表示するようになる。一方、液晶パネル２は画像を具現するために液晶が光を透過するように活性化される遅延時間を有するものである。
【０００６】
直下型バックライトアッセンブリは、ランプハウジング34と、該ランプハウジング34の前面に積層される反射シート14と、該反射シート14の上部に位置する多数のランプ36と、拡散板12および光学シート10とを備えている。
【０００７】
ランプハウジング34は多数のランプ36夫々から放出される可視光線の光漏れを防止すると共に多数のランプ36の側面および背面へ進行する可視光線を前面、即ち、拡散板12側へ反射させることによりランプら36から発生する光の効率を向上させる。
【０００８】
反射シート14はランプハウジング34の上面と多数個のランプ36との間に配置されてランプ36から発生した光を反射して液晶表示パネル2方向へ照射させることにより光の効率を向上させる。
【０００９】
多数のランプ36の夫々はガラス管と、ガラス管の内部にある不活性気体と、ガラス管の両端部に設置される陰極および陽極で構成される。ガラス管の内部には不活性気体が充填されており、ガラス管の内壁には蛍光体が塗布されている。
【００１０】
このような多数のランプ36の夫々は（図示されていない）インバーターからの高圧の交流波形が高圧電極および低圧電極に印加されると、低圧電極から電子が放出されてガラス管内部の不活性気体と衝突して幾何級数的に電子の量が増すようになる。この増加した電子によりガラス管内部に電流が流れるようになることにより、電子によって不活性気体が励起されながら紫外線が放出される。この紫外線はガラス管内側壁に塗布された発光性蛍光体に衝突して可視光線を放出する。この際に、多数のランプ36には高圧の交流波形が持続的に供給されて常に点燈される。
このような多数のランプ36はランプハウジング34上に並んで配置される。
【００１１】
拡散板12は多数のランプ36から発散した光を液晶パネル2側へ進行させるようにし、広い範囲の角度から入射し得るようにする。このような拡散板12としては透明な樹脂で構成されたフィルムの両面に光拡散用部材をコーティングしたものを用いる。
【００１２】
光学シート10は拡散板12から出射された光の視野角を狭くすることにより液晶表示装置の正面輝度を向上させて消費電力を減らすことができる。
【００１３】
このような従来のLCDはランプハウジング34に配置される多数のランプ36を利用して均一の光を発生させて液晶パネル2に照射することにより所望の画像を表示するようになる。しかし、従来のLCDは光源として用いられるランプ36ら全体を持続的にオンにしておかなければならないため、消費電力を多く要する欠点があるだけでなく、液晶パネル2上に爆発や閃光などのような画像を表示するために液晶パネル2上の一部分だけを瞬間的に明るくするピーク輝度(Peak  Brightness)を具現し得ない欠点がある。また、液晶パネル2に注入された液晶が活性化されるための遅延時間を補償する方法においては、液晶の特性に関係なく同一の電源が供給されるため、輝度を低下させる問題点が生じる。
【発明の開示】
【発明が解決しようとする課題】
【００１４】
従って、本発明の目的は液晶パネルの画質を改善し輝度を安定的に表現し得るようにした液晶表示装置の駆動装置および駆動方法を提供することにある。
【課題を解決するための手段】
【００１５】
上記目的を達成するために、本発明による液晶表示装置のランプ駆動装置は、液晶パネルに光を照射する多数個のランプと；前記液晶パネルの画像具現期間以前のスキャニング期間に前記ランプに供給される交流信号のデューティ比および振幅のうちのいずれか一つを前記液晶パネルの基準輝度によって調整し、該基準輝度に対応するように前記交流信号の振幅およびデユーティ比を可変するランプ駆動部とを備える。
【００１６】
前記ランプ駆動部は、外部から供給された直流信号を高圧の交流信号に切り換えるインバーターと；該インバーターからの交流信号を制御する第1制御部とを備える。
【００１７】
前記液晶表示装置のランプ駆動装置は、前記画像具現期間に前記液晶パネルに供給されるデータの輝度値によって輝度可変信号を生成して前記ランプ駆動部に供給する第2制御部をさらに備える。
【００１８】
前記インバーターは、前記第2制御部から発生する輝度可変信号に対応して前記ランプに供給される前記交流信号のオン周期とオフ周期を交番的に繰り返す。
【００１９】
前記第2制御部は、前記液晶パネルに具現される画像の輝度の強弱によって前記第1制御部から発生される信号のオン・オフデューティ比および振幅のうちの少なくともいずれか一つを変化させる。
【００２０】
前記夫々のランプ輝度は前記変化された信号により制御される。
【００２１】
本発明による液晶表示装置のランプ駆動方法は、液晶パネルの画像具現期間以前のスキャニング期間に前記液晶パネルの基準輝度によってランプに供給される交流信号のデューティ比および振幅のうちのいずれか一つを設定する段階と；前記スキャニング期間に設定されたデューティ比および振幅によって前記交流信号の振幅およびデューティ比のうちの少なくとも一つを可変させる段階を含む。
【００２２】
本発明による液晶表示装置のランプ駆動方法は、画像が液晶表示素子により具現される画像具現期間を決定する段階と；該画像具現期間前に該画像具現期間より短いスキャニング期間を決定する段階と；前記ランプに供給される電力量を決定して基準輝度を決定する段階と；前記ランプに供給される交流信号の振幅とデューティ比のうち少なくともいずれ一つを調整して前記スキャニング期間に前記基準輝度を具現する段階とを含む。
【発明の効果】
【００２３】
本発明による液晶表示装置のランプ駆動部は、液晶パネルの画質を改善し輝度を安定的に表現することができる。
【発明を実施するための最良の形態】
【００２４】
前記目的の外に本発明の別の目的および特徴点は、添付図面を参照してなされる実施例の説明により明らかになるであろう。
【００２５】
以下、図３〜図11を参照して本発明の望ましい実施例について説明する。
図３は本発明の第１実施例による液晶表示装置を示した斜視図である。
図３を参照すると、本発明の第1実施例による液晶表示装置は、液晶パネル102と、該液晶パネル102に光を照射するための直下型バックライトアッセンブリと、直下型バックライトアッセンブリの駆動を制御するためのランプ駆動装置160にビデオデータに相当するオン・オフ信号を印加するタイミングコントローラー150とを備える。
【００２６】
液晶パネル102は、図４に図示されるように、上部基板104および下部基板106の間に液晶Lｃが注入され上部基板104と下部基板106との間の間隔を一定に維持させるための図示していないスペーサーを備える。このような液晶パネル102の上部基板104上にはカラーフィルター108、共通電極118、ブラックマトリックス117などが形成される。また、液晶パネル102の下部基板106上にはゲートラインGLとデータラインDLの交叉で定義される領域毎に形成された薄膜トランジスターTFTと画素電極を備える。
【００２７】
直下型バックライトアッセンブリは、図５に図示される通り、ランプハウジング134と、該ランプハウジング134の前面に積層される反射シート114と、該反射シート114の上部に積層されて光を発生する多数のランプ136と、拡散板112および該拡散板112上に置かれる光学シート110とを含む。
【００２８】
ランプハウジング134は、多数のランプ136の夫々から放出される可視光線の光漏れを防止すると共に多数のランプ136の側面および背面へ進行する可視光線を前面、即ち、拡散板112側へ反射させることによりランプ136から発生する光の効率を向上させる。
【００２９】
反射シート114はランプハウジング134の上面と多数個のランプ136との間に配置されてランプ136から発生された光を反射して液晶表示パネル102方向へ照射されるようにすることにより光の効率を向上させる。
【００３０】
多数のランプ136の夫々はガラス管と、該ガラス管内部にある不活性気体と、該ガラス管の両端部に設置される陰極および陽極で構成される。ガラス管内部には不活性気体が充填されており、ガラス管内壁には蛍光体が塗布されている。
【００３１】
このような多数のランプ136の夫々は、インバーターからの高圧の交流波形が高圧電極および低圧電極に印加されると、低圧電極から電子が放出されてガラス管内部の不活性気体と衝突して幾何級数的に電子の量が増すようになる。この増加した電子によりガラス管内部に電流が流れるようになることにより、電子により不活性気体が励起されながら紫外線が放出される。この紫外線はガラス管内壁に塗布された発光性蛍光体に衝突して可視光線を放出させる。
【００３２】
拡散板112は多数のランプ136から発散された光を液晶パネル102側へ進行するようにし、広い範囲の角度から入射し得るようにする。このような拡散板112としては透明な樹脂で構成されたフィルムの両面に光拡散用部材をコーティングしたものを用いる。
【００３３】
光学シート110は拡散板112から出射された光の視野角を狭くすることにより液晶表示装置の正面輝度を向上させて消費電力を減らすことができる。
【００３４】
ランプ駆動部160は、図6に図示された通り、電源部156から電源の供給を受けて交流波形に切り換えるインバーター146と、該インバーター146とランプ136の一端との間に配置されてインバーター146から発生した交流波形を昇圧するトランスフォーマー148と、該トランスフォーマー148とランプ136の一端との間に配置されてトランスフォーマー148からランプ136に供給される管電流を検査し、これによるフィードバック信号F／Bを生成するフィードバック回路142と、インバーター146とフィードバック回路142との間に配置されてフィードバック信号F／Bの供給を受けてインバーター146から発生される交流波形を切り換えるために用いられるパルス信号を生成するパルス幅変造(Pulse  Width  Modulation：以下“PWM”という)制御部144とを備える。
【００３５】
インバーター146は、PWM制御部144から発生されるパルスによりスイッチングされるスイッチング素子を利用して電圧源から供給される電圧を交流波形に切り換えるよう動作する。このように形成された交流電圧はトランスフォーマー148に伝達される。
【００３６】
トランスフォーマー148は、インバーター146から供給される交流波形をランプ136を駆動させるための高圧の交流波形に昇圧するよう動作する。このため、トランスフオーマー148の1次巻線151はインバーター146に接続され、2次巻線153はランプの一端とフィードバック142回路との間に接続され、1次巻線151の電圧が2次巻線153に誘起されるように誘導する補助巻線152が1次巻線151と2次巻線153との間に配置される。このようなトランスフォーマー148の2次巻線153には、1次巻線151と2次巻線153との間の巻線比によりインバーター146から供給される交流波形が高圧の交流波形に昇圧されて誘起される。このように昇圧された高圧の交流波形はランプ136の一端に供給される。
【００３７】
フィードバック回路142は2次巻線153に誘起された交流高電圧によりランプ136に伝達される電流を検出してフィードバック信号F／Bを生成する。このようなフィードバック回路142は、ランプ136の出力端に位置することができ、出力端に位置する場合にはランプ136から出力される出力値を検出する。
【００３８】
PWM制御部144はランプ136に流れる管電流をフィードバック受けてインバーター146のスイッチング素子のスイッチングを制御するよう動作する。このようなPWM制御部144の夫々はインバーター146のスイッチング素子のスイッチングを制御して交流波形を可変するよう動作する。
【００３９】
タイミングコントローラー150は、図７に図示される通り、外部から伝達されたデータを整列するデータ整列部182と、データの輝度を判別する検出部184と、該検出部184により判別された輝度によってオンタイム周期とオフタイム周期を有する輝度可変信号を生成する信号生成部186とを備える。
【００４０】
データ整列部182は（図示されていない）デジタルビデオカードから供給されるデジタルビデオデータを赤色R・緑色Gおよび青色B別に再整列する。
【００４１】
検出部184は、再整列された赤色R・緑色Gおよび青色Bのデジタルビデオデータから各データによる特定の輝度値を検出するよう動作する。
【００４２】
信号生成部186は、検出部184により検出された輝度値を有するデジタルビデオデータに対応する液晶パネル102の領域の輝度を増加させるための輝度可変信号LVSを生成する。
【００４３】
このような構成を有する本発明の第1実施例による液晶表示装置のランプ駆動部160の動作の過程を考察してみることにする。
【００４４】
本発明の第１実施例による液晶表示装置のランプ駆動部160は、各ランプ136から発生する輝度を制御するための多様な方式を有することができる。このような輝度を制御する方式はタイミングコントローラー150から供給される輝度可変信号LVSをPWM制御部144に供給し、以後PWM制御部144から発生するパルス信号のデューティ比を切り換えるバーストモード方式と、PWM制御部144から発生するパルス信号の振幅を切り換えるリニア(Linear)モード方式、およびバーストモードとリニアモードとの混合形態などがある。
【００４５】
図８に図示されたバーストモード方式においては、タイミングコントローラー150からの輝度可変信号LVSによってPWM制御部144から発生するパルス信号のデューティ比が切り換えられる。これを詳細に説明すると、ｔ11区間のPWM制御部144からのパルス信号がインバーター146に供給されると、インバーター146に含まれたスイッチング素子はｔ11区間のパルス信号のオンタイムTon周期間にはスイッチング動作をするようになり電源部から供給された直流電圧が交流波形に切り換えられ、パルス信号のオフタイムToff周期間にはスイッチングがオフになることにより交流波形が形成されないこととなる。このような交流波形はトランスフォーマー148を経ながら昇圧され、以後昇圧された交流波形がランプ136に供給されることにより光を発生させるようになる。
【００４６】
一方、ｔ12区間のPWM制御部144からのパルス信号がインバーター146に供給されると、インバーター146に含まれたスイッチング素子は図示されたｔ12区間のパルス信号のオンタイムTon間にスイッチング動作をするようになる。これをｔ11区間と比較すると、ｔ12区間ではインバーター146のスイッチング動作時間が長くなるに従ってインバーター146から発生する交流波形がｔ11区間より長く形成される。これによってトランスフォーマー148を経ながら昇圧された交流波形がランプ136に供給されて発生した光はｔ11区間から発生するランプの輝度より相対的に明るい輝度を発生するようになる。
【００４７】
図９に図示されたリニアモード方式は、タイミングコントローラー150からの輝度可変信号LVSによってPWM制御部144から発生するパルス信号の振幅が切り換えられる。これを詳細に説明すると、ｔ21区間のPWM制御部144からのパルス信号がインバーター146に供給されると、インバーター146に含まれたスイッチング素子はパルス信号のオンタイムTon間にｔ21区間に図示されたパルス信号の振幅に対応してスイッチング動作をするようになって電源部から供給された直流電圧が交流波形に切り換えられる。パルス信号のオフタイムToff間にはスイッチングがオフになることにより交流波形が形成されない。このような交流波形はトランスフォーマー148を経ながら昇圧され、昇圧された交流波形がランプ136に供給されることにより光を発生させる。
【００４８】
一方、ｔ22区間のPWM制御部144からのパルス信号がインバーター146に供給されると、インバーター146に含まれたスイッチング素子はパルス信号のオンタイムTon間にｔ22に図示されたパルス信号の振幅に対応してスイッチング動作をするため、ｔ21区間に発生した交流波形に比べて相対的に大きい振幅の交流波形が形成される。このような交流波形はトランスフォーマー148を経ながら昇圧され、昇圧された交流波形がランプ136に供給されることによりT21区間でランプ136から発生した光より相対的に大きい明るさを有するようになる。
【００４９】
図10に図示されたバーストモードとリニアモードの混合形態においては、タイミングコントローラー150からの輝度可変信号LVSによってPWM制御部144から発生するパルス信号の振幅が切り換えられる。これを詳細に説明すると、ｔ31区間のPWM制御部144からのパルス信号がインバーター146に供給されると、インバーター146に含まれたスイッチング素子はパルス信号のオンタイムTon間にｔ31区間に図示されたパルス信号の周期および振幅に対応してスイッチング動作をするようになって電源部156から供給された直流電圧を交流波形に切り換える。パルス信号のオフタイムToff間にはスイッチングがオフになって交流波形が形成されない。このような交流波形はトランスフォーマー148を経ながら昇圧され、昇圧された交流波形がランプ136に供給されることにより光を発生させる。
【００５０】
一方、ｔ32区間のPWM制御部144からのパルス信号がインバーター146に供給されると、インバーター146に含まれたスイッチング素子はT32区間に図示されたパルス信号の周期および振幅に対応してスイッチング動作をするようになるが、パルス信号のオフタイムToff間にはスイッチングがオフになることにより交流波形が発生せず、パルス信号のオンタイムTon間に電源部156から供給された直流電圧を交流波形に切り換える。これをｔ31区間と比較すると、ｔ32区間は前記のバーストモード方式でランプ136を駆動することによりｔ31区間より相対的に明るい輝度を有するようになる。
【００５１】
また、ｔ33区間のPWM制御部144からのパルス信号がインバーター146に供給されると、インバーター146に含まれるスイッチング素子はｔ33区間に図示されたパルス信号の周期および振幅に対応してスイッチング動作をするようになって電源部156から供給された直流電圧を交流波形に切り換える。これをｔ31区間およびｔ32区間と比較すると、ｔ33区間は前記のバーストモード方式およびリニアモード方式でランプ136を駆動することによりｔ31区間およびｔ32区間よりも相対的に明るい輝度を有するようになる。
【００５２】
結果的に、バーストモード方式およびリニアモード方式をタイムコントローラーから発生する輝度可変信号LVSのオンタイムTonおよびオフタイムToffと組み合わせることによりランプ136から発生する光の輝度を多様に表現することができるようになる。
【００５３】
図11は本発明の第2実施例による液晶表示装置の駆動方法を示した波形図である。
図11を参照すると、本発明の第2実施例による液晶表示装置のランプ駆動装置180は、スキャニング期間と画像具現期間を含む。
【００５４】
スキャニング期間には類似の階調が動画像で一体化されて画質を低下させるブラー(Blur)現象を減殺させるためにスキャニング(Scanning)技術を用いる。液晶Lcは電源が供給されてその液晶が活性化される際、遅延時間を有するようになるが、このような遅延時間は各液晶の種類および厚さなどの液晶特性によって互いに異なる遅延時間を有する。これによって、スキャニング期間は液晶パネルが実質的な画像を具現する以前の段階で画像が表示される夫々の液晶に電源を供給して予め均一に活性化させることにより液晶が有する遅延時間を補償するようになる。また、このスキャニング区間は液晶に画像が具現される時点を決定するようになる。一方、図11に図示された“a”区間はスキャニング区間で液晶Lcが特定の基準輝度値よりは少なく活性化されたが、使用者の視野では大きい差異を感じられない時点を示したものである。即ち、“a”区間でも液晶パネル102に画像が具現されることができる。
【００５５】
このようなスキャニング期間により前記のバーストモードとリニアモードを互いに組み合わせて一定の輝度を安定的に提供することができる。本発明の第2実施例による液晶表示装置のランプ駆動装置160は、スキャニング期間に特定の基準輝度、即ち、ノーマル(Normal)輝度(例えば、500nt)に該当する値を各液晶パネルの特性によって割り当てる。これによって、特定の出力パワー(Power)を決定した後、それに該当するPWM制御部144パルスのデューティ比と振幅を調節するようになる。ここで、ノーマル輝度は各液晶パネルの特性によって実験的および統計的結果により決定されることができる。
【００５６】
一例として、PWM制御部144から発生するパルスのオンタイムデューティ比が小さく決定された場合、インバーター146から発生してランプ136に供給される管電流が少なく流れるようになる。従って、ランプ136から発生される光の輝度は予め決定されたノーマル輝度に比べて相対的に減少するようになる。これを補償するためにオンタイムのデューティ比は変化させずにオンタイムのパルスの振幅をノーマル輝度に相応するように大きく変化させることによりランプ136から発生する光の輝度をノーマル輝度に対応するように補償することができる。
【００５７】
また、別の例として、PWM制御部144から発生するパルスのオンタイムのデューティ比が大きく決定された場合、インバーター146から発生されてランプ136に供給される管電流が相対的に多く流れるようになる。これによって、ランプ136から発生した光は予め決定されたノーマル輝度よりもっと大きい輝度値を有するようになる。これを補償するためにPWM制御部144から発生するパルスのオンタイムのパルス振幅を小さく設定する。結果的に、ランプ136から発生する光の輝度は予め決定されたノーマル輝度と相応するようになる。
【００５８】
一方、本発明の第1実施例および第2実施例において、前述の方式で駆動される液晶表示装置のランプ駆動装置160は、多様な形態のランプに用いられる。例えば、“U”字形のランプらを2列に並んで配置し、順次にターンオンおよびターンオフさせることができる。同じ方式で“L”字形のランプ、直線型ランプ、丸型および円型ランプなどを夫々または群単位に分割駆動することができる。従って、本発明のランプの形態に限定されるものではない。
【００５９】
前述の通り、本発明の実施例による液晶表示装置のランプ駆動部は、PWM制御部から発生されるパルス信号の周期および振幅を相互組み合わせて多様に変化させることによりランプに供給される管電流および電圧の大きさを調節することができる。これによって、本発明の実施例による液晶表示装置のランプ駆動部は、ランプの明るさを液晶パネルに具現される各画像を流動的に調節するようになる。結果的に、本発明の実施例による液晶表示装置のランプ駆動部は液晶パネルの画質を改善することができる。
【００６０】
また、本発明の実施例による液晶表示装置のランプ駆動部は、多様な特性の液晶パネルに適合するようにスキャニングのデューティ比を自由に活用することができる。換言すると、特定のデューティ比を用いても振幅を出力に適合するよう調節することにより全体の輝度を同一に維持することによりランプから発生する輝度を安定的に提供することができる。
【００６１】
ひいては、本発明の実施例による液晶表示装置のランプ駆動部は、ランプが順次にターンオンおよびターンオフさせる分割駆動方式で駆動されるため、電力の消費を節減することができ、多様な形態のランプ、即ち、“U”字形、“L”字形、直線型、円型などのランプを用いることにより液晶パネルの輝度を改善することができる。
【００６２】
以上説明した内容により当業者であれば本発明の技術思想を脱しない範囲で多様な変更および修正が可能であることを分かるであろう。従って、本発明の技術的範囲は、明細書の詳細な説明に記載された内容に限定されるのではなく特許請求の範囲のみによって定められるべきものである。
【図面の簡単な説明】
【００６３】
【図１】従来の直下型液晶表示装置を示す図面である。
【図２】図１のII−II’を切断して示した断面図である。
【図３】本発明の第1実施例による液晶表示装置を示す図面である。
【図４】図３の液晶パネルを示す分解斜視図である。
【図５】図３のＶ−Ｖ’を切断して示す断面図である。
【図６】本発明の第1実施例による液晶表示装置のランプ駆動部を示す図面である。
【図７】本発明のタイミングコントローラーを示す図面である。
【図８】本発明の第1実施例によるバーストモードの波形を示す波形図である。
【図９】本発明の第1実施例によるリニアモードの波形図である。
【図１０】本発明の第1実施例によるバーストモードとリニアモードとの混合形態の波形図である。
【図１１】本発明の第2実施例による液晶表示パネルのスキャニング区間を示す図面である。
【符号の説明】
【００６４】
2，102：液晶パネル                      
10，110：光学シート
12，112：拡散板                          
14，114：反射シート
34，134：ランプハウジング                
36，136：ランプ
104：上部基板                            
106：下部基板
TFT：薄膜トランジスター                  
Lc：液晶
GL：ゲートライン                          
DL：データライン
142：フィードバック回路                    
144：PWM制御部
146：インバーター                          
148：トランスフォーマー
150：タイミングコントローラー              
151：1次巻線
152：補助巻線                              
153：2次巻線
156：電源部                                
160：ランプ駆動部
182：データ整列部                          
184：検出部
186：信号生成部
【図１】
0004619863.tif 000002
【図２】
0004619863.tif 000003
【図３】
0004619863.tif 000004
【図４】
0004619863.tif 000005
【図５】
0004619863.tif 000006
【図６】
0004619863.tif 000007
【図７】
0004619863.tif 000008
【図８】
0004619863.tif 000009
【図９】
0004619863.tif 000010
【図１０】
0004619863.tif 000011
【図１１】
0004619863.tif 000012